(57)【要約】【課題】住宅のサニタリーなどにおいて利用されるタオルさらにはバスタオルをそこにおいてより掛けやすくするタオル掛け構造の提供。【解決手段】壁Ｗへの取付部１ａを備えたベース１と、このベース１によって略水平に支持されるタオルバー２とを備えてなる左右一対のタオルバーユニットＵ、Ｕを備えている。一対のタオルバーユニットＵ、Ｕの少なくとも一方は、タオルバー２の基端２０側を軸部１ｂをもって前記略水平の基準位置からの上方に向けた回動操作可能にベース１に組み合わせてなると共に、前記基準位置において、右側のタオルバーユニットＵのタオルバー２の自由端２１と、左側のタオルバーユニットＵのタオルバー２の自由端２１とが、接し又は近接されるように、両タオルバーユニットＵ、Ｕを壁Ｗに取り付けさせてなる。【選択図】図１
2010005066.tif 000002
【特許請求の範囲】
【請求項１】
壁への取付部を備えたベースによって略水平に支持されると共に、このベースを介して壁に取り付けられる左右一対のタオルバーを備えており、
この一対のタオルバーの少なくとも一方は、タオルバーの基端側を軸部をもって前記略水平の基準位置からの上方に向けた回動操作可能にベースに組み合わされていると共に、
前記基準位置において、右側のタオルバーの自由端と、左側のタオルバーの自由端とが、接し又は近接されるようになっていることを特徴とする住宅におけるタオル掛け構造。
【請求項２】
壁への取付部を備えたベースと、このベースによって略水平に支持されるタオルバーとを備えてなる左右一対のタオルバーユニットを備えており、
この一対のタオルバーユニットの少なくとも一方は、タオルバーの基端側を軸部をもって前記略水平の基準位置からの上方に向けた回動操作可能にベースに組み合わせてなると共に、
前記基準位置において、右側のタオルバーユニットのタオルバーの自由端と、左側のタオルバーユニットのタオルバーの自由端とが、接し又は近接されるように、両タオルバーユニットを壁に取り付けさせてなることを特徴とする住宅におけるタオル掛け構造。
【請求項３】
右側のタオルバーユニットのタオルバーの自由端側に、タオルバーの水平支持状態において、左側のタオルバーユニットのタオルバーの自由端側に形成させた被受容部を上方から受け入れてこれを支持する受容部が形成されていると共に、
左側のタオルバーユニットのタオルバーの自由端側に、タオルバーの水平支持状態において、右側のタオルバーユニットのタオルバーの自由端側に形成させた被受容部を上方から受け入れてこれを支持する受容部が形成されていることを特徴とする請求項２に記載の住宅におけるタオル掛け構造。
【請求項４】
左右一対のタオルバーユニットがそれぞれ、二以上のタオルバーを、これらのタオルバーのベースによる支持高さと壁からの距離とが相互に一致しないように備えていると共に、
各支持高さにおいてそれぞれ、右側のタオルバーユニットのタオルバーと左側のタオルバーユニットのタオルバーとが水平支持状態において協働して一枚のタオルを掛け得る対となるように、両タオルバーユニットを壁に取り付けさせてなることを特徴とする請求項２又は請求項３に記載の住宅におけるタオル掛け構造。
【発明の詳細な説明】
【技術分野】
【０００１】
この発明は、典型的には、住宅のサニタリーとなるスペースに備えられて、このスペースでのタオルやバスタオルの利用のために供されるタオル掛け構造に関する。
【背景技術】
【０００２】
キッチン、トイレ、風呂、洗面所などの住宅のサニタリーとなるスペースにおいては、そこで利用されるタオルやバスタオルを掛けておくために、タオル掛けがあらかじめ設置されて住宅備品として住宅の一部をなすものとなっている。かかるタオル掛けは、一般に、壁面に固定される一対のブラケット間にタオルバーを架設して構成される。かかるタオル掛けにタオルを掛けるためには、壁とタオルバーとの間の隙間にタオルをその一端側から通した後、この一端側を下方に引き下ろすことを要する。通常のタオルの場合、かかるタオル掛けの設置位置は、大人を基準に決められるため、背の低い子供はかかるタオル掛けにタオルを掛け難いところであった。また、こうしたサニタリーにおいてバスタオルを掛けることも求められる場合があるところ、バスタオルは重さと厚さがあり前記引き下ろしが容易ではなく、また、バスタオルは丈が長いためタオル掛けの設置位置は高くせざるを得ない場合があり、在来のタオル掛けでは設置位置によっては大人であってもバスタオルは掛け難くなる。
【０００３】
なお、比較的広い面を有するシーツなどを掛けやすくした物干し用ハンガーとして、特許文献１に示されるものがある。
【特許文献１】特開平９−１８２８９８号公報
【発明の開示】
【発明が解決しようとする課題】
【０００４】
この発明が解決しようとする主たる問題点は、住宅のサニタリーなどにおいて利用されるタオルさらにはバスタオルをそこにおいてより掛けやすくするタオル掛け構造を提供する点にある。
【課題を解決するための手段】
【０００５】
前記課題を達成するために、この発明にあっては、第一の観点から、住宅におけるタオル掛け構造を、壁への取付部を備えたベースによって略水平に支持されると共に、このベースを介して壁に取り付けられる左右一対のタオルバーを備えており、
この一対のタオルバーの少なくとも一方は、タオルバーの基端側を軸部をもって前記略水平の基準位置からの上方に向けた回動操作可能にベースに組み合わされていると共に、
前記基準位置において、右側のタオルバーの自由端と、左側のタオルバーの自由端とが、接し又は近接されるようになっているものとした。
【０００６】
左右のタオルバーは基準位置においてその自由端を接しさせ、あるいは近接させることから、左右のタオルバーには両タオルバーの長さの和以内の幅のタオルやバスタオルであればそれを広げた状態で掛けることできる。タオルを掛ける作業は、少なくとも一方のタオルバーを上方に回動操作して左右のタオルバーの自由端間に間隔を形成させた後、二つ折りにしたタオルの内側にこの間隔を利用して左右のタオルバーのいずれか一方をその自由端から差し入れ、次いで前記回動のされたタオルバーが基準位置に戻るようにこのタオルバーの一方側にかかるタオルを一旦寄せ、左右のタオルバーが共に基準位置に戻ったところでタオルを広げて左右のタオルバーに共にタオルが掛けられるようにしてなすことができる。これにより、タオルバーを高いレベルに位置させるように前記壁に備えさせた場合でも、容易にかかるタオルバーにタオルを掛けることができる。
【０００７】
また、前記課題を達成するために、この発明にあっては、第二の観点から、住宅におけるタオル掛け構造を、壁への取付部を備えたベースと、このベースによって略水平に支持されるタオルバーとを備えてなる左右一対のタオルバーユニットを備えており、
この一対のタオルバーユニットの少なくとも一方は、タオルバーの基端側を軸部をもって前記略水平の基準位置からの上方に向けた回動操作可能にベースに組み合わせてなると共に、
前記基準位置において、右側のタオルバーユニットのタオルバーの自由端と、左側のタオルバーユニットのタオルバーの自由端とが、接し又は近接されるように、両タオルバーユニットを壁に取り付けさせてなるものとした。
【０００８】
左右のタオルバーユニットのタオルバーは基準位置においてその自由端を接しさせ、あるいは近接させることから、左右のタオルバーユニットのタオルバーには両タオルバーの長さの和以内の幅のタオルやバスタオルであればそれを広げた状態で掛けることできる。タオルを掛ける作業は、少なくとも一方のタオルバーを上方に回動操作して左右のタオルバーの自由端間に間隔を形成させた後、二つ折りにしたタオルの内側にこの間隔を利用して左右のタオルバーのいずれか一方をその自由端から差し入れ、次いで前記回動のされたタオルバーが基準位置に戻るようにこのタオルバーの一方側にかかるタオルを一旦寄せ、左右のタオルバーが共に基準位置に戻ったところでタオルを広げて左右のタオルバーに共にタオルが掛けられるようにしてなすことができる。これにより、タオルバーを高いレベルに位置させるように前記壁に備えさせた場合でも、容易にかかるタオルバーにタオルを掛けることができる。
【０００９】
前記右側のタオルバーユニットのタオルバーの自由端側に、タオルバーの水平支持状態において、左側のタオルバーユニットのタオルバーの自由端側に形成させた被受容部を上方から受け入れてこれを支持する受容部を形成させておくと共に、
左側のタオルバーユニットのタオルバーの自由端側に、タオルバーの水平支持状態において、右側のタオルバーユニットのタオルバーの自由端側に形成させた被受容部を上方から受け入れてこれを支持する受容部を形成させておくこともある。
【００１０】
このようにした場合、左右のタオルバーユニットのタオルバーが基準位置にある状態において、左右のタオルバーをその自由端において互いに支え合わせることができ、掛けられたタオルを安定的に支持することができる。
【００１１】
前記左右一対のタオルバーユニットがそれぞれ、二以上のタオルバーを、これらのタオルバーのベースによる支持高さと壁からの距離とが相互に一致しないように備えるようにさせると共に、
各支持高さにおいてそれぞれ、右側のタオルバーユニットのタオルバーと左側のタオルバーユニットのタオルバーとが水平支持状態において協働して一枚のタオルを掛け得る対となるように、両タオルバーユニットを壁に取り付けさせておくこともある。
【００１２】
このようにした場合、二枚以上のタオルをそれを掛ける作業を容易に行えるようにした態様で、合理的に掛けておくことができる。
【発明の効果】
【００１３】
この発明にかかる住宅におけるタオル掛け構造によれば、タオルバーを一般的なレベルに位置させるように備えさせている場合においては、背の低い子供でも容易にかかるタオルバーにタオルを掛けることができる。また、特に、比較的重くまた大きいためタオルバーの設置レベルを上方に配さざるを得ないバスタオルの場合でもそれを掛ける作業を容易ならしめる特長を有する。
【発明を実施するための最良の形態】
【００１４】
以下、図１〜図７に基づいて、この発明を実施するための最良の形態について説明する。
【００１５】
なお、ここで図１〜図３はこの発明を適用して構成されたタオル掛け構造Ｈの基本的構成例を、図４および図５はかかる基本的構成例の構成の一部を変更して構成されたタオル掛け構造Ｈの第二例の要部を、図６および図７はかかる基本的構成例の構成の一部を変更して構成されたタオル掛け構造Ｈの第三例を、それぞれ示している。
【００１６】
この実施の形態にかかる住宅におけるタオル掛け構造Ｈは、典型的には、住宅のサニタリーとなるスペースに備えられて、このスペースでのタオルＴやバスタオルＴ’の利用のために供されるものである。
【００１７】
かかるタオル掛け構造Ｈは、壁Ｗへの取付部１ａを備えたベース１によって略水平に支持されると共に、このベース１を介して壁Ｗに取り付けられる左右一対のタオルバー２、２を備えてなる。かかるタオル掛け構造Ｈは、一つのかかるベース１に左右一対のタオルバー２、２を備えさせ、これを前記取付部１ａをもって壁Ｗに取り付けさせることで構成させることができる。しかるに、図１〜図３に示される基本的構成例では、左右一対のタオルバーユニットＵ、Ｕを、前記スペースを構成する壁Ｗに取り付けさせてなる。より具体的には、かかる左右一対のタオルバーユニットＵ、Ｕを、キッチン、トイレ、風呂、洗面所などの壁Ｗに取り付けさせることで、かかるタオル掛け構造Ｈが構成される。
【００１８】
かかる一対のタオルバーユニットＵ、Ｕはそれぞれ、壁Ｗへの取付部１ａを備えたベース１と、このベース１によって略水平に支持されるタオルバー２とを備えてなる。それと共に、かかる一対のタオルバーユニットＵ、Ｕの少なくとも一方は、タオルバー２の基端２０側を軸部１ｂをもって前記略水平の基準位置からの上方に向けた回動操作可能にベース１に組み合わせてなる。そして、前記基準位置において、右側のタオルバーユニットＵのタオルバー２の自由端２１と、左側のタオルバーユニットＵのタオルバー２の自由端２１とが、接し又は近接されるように、両タオルバーユニットＵ、Ｕを前記取付部１ａをもって前記壁Ｗに取り付けさせている。
【００１９】
図示の例では、一対のタオルバーユニットＵ、Ｕの双方共に、タオルバー２を前記回動操作可能にベース１に組み合わせている。各図における右側のタオルバーユニットＵはそのタオルバー２の自由端２１を前記基準位置においてそのベース１の左側に位置させ、各図における左側のタオルバーユニットＵはそのタオルバー２の自由端２１を前記基準位置においてそのベース１の右側に位置させている。また、図１〜図３に示される例では、右側のタオルバーユニットＵのタオルバー２の自由端２１と左側のタオルバーユニットＵのタオルバー２の自由端２１とは前記基準位置で接するようになっているが、両者の間には若干の隙間が開けられるようにしておいても良い。
【００２０】
図１〜図３に示される例では、ベース１は裏面１ｃを前記壁Ｗへの取付部１ａとしてこの壁Ｗにネジ１ｄにより止め付けられる盤状をなすように構成されている。
【００２１】
一方、タオルバー２は、棒状主体２２と、この棒状主体２２の一端部２２ａの支持パーツ２３とから構成されている。棒状主体２２は、金属やプラスチックや木質材、あるいはこれらの一種あるいは二種以上を組み合わせることにより構成することができる。支持パーツ２３は、棒状主体２２の一端部２２ａに接続される第一腕部２３ａと、この第一腕部２３ａの基部から下方に突き出す第二腕部２３ｂとを備えている。そして、かかる支持パーツ２３は、かかる第一腕部２３ａの基部側において、前後方向に軸線を沿わせた軸部１ｂをもってベース１に回動可能に組み付けられている。具体的には、支持パーツ２３に形成された軸穴２３ｃにベース１の表面１ｅから前方に突き出すようにこのベース１に備えられた軸部１ｂを入れ込ませることで、ベース１にタオルバー２が回動可能に組み合わされている。すなわち、図示の例では、かかる棒状主体２２における支持パーツ２３に支持される一端部２２ａ側がタオルバー２の基端２０側となり、かかる棒状主体２２の他端部２２ｂがタオルバー２の自由端２１として機能するようになっている。
【００２２】
また、図１〜図３に示される例では、ベース１の表面１ｅに、前記軸部１ｂの下方において、タオルバー２が基準位置にあるときに前記支持パーツ２３の第二腕部２３ｂにおける第一腕部２３ａとの連接側と反対の側部に突き当たってこの基準位置から下方への前記軸部１ｂを中心としたタオルバー２の回動を阻止する規制突部１ｆが形成されている。この例では、かかる規制突部１ｆによってベース１によってタオルバー２を基準位置において略水平に支持するようになっている。
【００２３】
図１〜図３に示される例では、右側のタオルバーユニットＵのタオルバー２と左側のタオルバーユニットＵのタオルバー２は略同じ長さを持つように構成される。また、両タオルバーユニットＵ、Ｕの軸部１ｂが同じレベルに位置されるように両タオルバーユニットＵ、Ｕは前記壁Ｗに取り付けられる。
【００２４】
左右のタオルバーユニットＵ、Ｕのタオルバー２は基準位置においてその自由端２１を接しさせ、あるいは近接させることから、左右のタオルバーユニットＵのタオルバー２には両タオルバー２、２の長さの和以内の幅のタオルＴやバスタオルＴ’であればそれを広げた状態で掛けることできる。（図１）タオルＴを掛ける作業は、少なくとも一方のタオルバー２を上方に回動操作して左右のタオルバー２、２の自由端２１間に間隔を形成させた後、典型的には長さ方向略中程の位置で二つ折りにしたタオルＴの内側にこの間隔を利用して左右のタオルバー２、２のいずれか一方をその自由端２１から差し入れ、（図２）次いで前記回動のされたタオルバー２が基準位置に戻るようにこのタオルバー２の一方側にかかるタオルＴを一旦寄せ、左右のタオルバー２、２が共に基準位置に戻ったところでタオルＴを広げて左右のタオルバー２、２に共にタオルＴが掛けられるようにしてなすことができる。（図１）これにより、タオルバー２を高いレベルに位置させるように前記壁Ｗに備えさせた場合でも、容易にかかるタオルバー２にタオルＴを掛けることができる。また、タオルバー２を一般的なレベルに位置させるように備えさせている場合においては、背の低い子供でも容易にかかるタオルバー２にタオルＴを掛けることができる。特に、この実施の形態にかかるタオル掛け構造Ｈは、比較的重くまた大きいためタオルバー２の設置レベルを上方に配さざるを得ないバスタオルＴ’を掛ける作業を容易ならしめる特長を有する。
【００２５】
（図４および図５に示される第二例）
図４および図５は、図１〜図３に示されるタオルバーユニットＵと同様の構造を備えた左右一対のタオルバーユニットＵ、Ｕのタオルバー２が前記基準位置においてその自由端２１を互いに接し合わせる例を示している。
【００２６】
また、この図４および図５に示される例では、右側のタオルバーユニットＵのタオルバー２の自由端２１側に、タオルバー２の水平支持状態において、左側のタオルバーユニットＵのタオルバー２の自由端２１側に形成させた被受容部２５を上方から受け入れてこれを支持する受容部２４が形成されていると共に、
左側のタオルバーユニットＵのタオルバー２の自由端２１側に、タオルバー２の水平支持状態において、右側のタオルバーユニットＵのタオルバー２の自由端２１側に形成させた被受容部２５を上方から受け入れてこれを支持する受容部２４が形成されている。
【００２７】
具体的には、この図４および図５に示される例では、左右のタオルバー２の棒状主体２２の他端部２２ｂにそれぞれ、下方に向けて凹み且つ棒状主体２２の側部２２ｃにおいて開放された凹状をなす受容部２４と、この受容部２４と他端部の末端となる自由端２１との間において棒状主体２２の側部２２ｃから突き出す被受容部２５とが備えられている。図示の例では、受容部２４は棒状主体２２の厚さの略半分の深さを持ちその上方に向けられた底面を被受容部２５の支持面２４ａとしており、一方、被受容部２５はこの受容部２４の深さと略等しい厚さを有するように構成されている。また、左右のタオルバー２の一方においては受容部２４は棒状体の後方に向けられた側部２２ｃにおいて開放されると共に被受容部２５は後方に向けて突き出され、左右のタオルバー２の他方においては受容部２４は棒状体の前方に向けられた側部２２ｃにおいて開放されると共に被受容部２５は前方に向けて突き出されるようになっている。また、棒状主体２２の長さ方向での受容部２４の幅は被受容部２５の幅よりも大きく、左右のタオルバー２、２が共に基準位置にある状態においては受容部２４のタオルバー２の基端２０側に位置される端部に被受容部２５は位置づけられるようになっている。（図４）
【００２８】
これにより、この図４および図５に示される例にあっては、左右のタオルバーユニットＵのタオルバー２が基準位置にある状態において、左右のタオルバー２をその自由端２１において互いに支え合わせることができ、掛けられたタオルＴを安定的に支持することができる。
【００２９】
図示の例では、左右のタオルバー２の一方又は双方を上方に回動操作させた状態から、この操作を止めると基準位置に回動復帰する過程で被受容部２５が対の相手となるタオルバー２の棒状主体２２の側部２２ｃに接して両タオルバー２、２の棒状主体２２の向き合った側部２２ｃ間をやや押し広げることで、基準位置において前記のように対の相手となるタオルバー２の受容部２４に自らの被受容部２５を入れ込ませ、かつ、自らの受容部２４に対の相手となるタオルバー２の被受容部２５を入れ込ませるようになっている。かかる押し広げは、棒状主体２２に弾性を持たせたり、軸部１ｂの軸線方向へのタオルバー２の若干の移動を許容させるようにベース１とタオルバー２とを組み付け合わせておくことで実現させることができる。
【００３０】
（図６および図７に示される第三例）
図６および図７は、図１〜図３に示されるタオルバーユニットＵを構成するベース１と同様に機能されるベース１に、二以上のタオルバー２を上方に向けた回動操作可能に基準位置に支持させるようにした例を示している。
【００３１】
この例にあっては、左右一対のタオルバーユニットＵ、Ｕがそれぞれ、二つのタオルバー２を、これらのタオルバー２のベース１による支持高さと壁Ｗからの距離とが相互に一致しないように備えていると共に、
各支持高さにおいてそれぞれ、右側のタオルバーユニットＵのタオルバー２と左側のタオルバーユニットＵのタオルバー２とが水平支持状態において協働して一枚のタオルＴを掛け得る対となるように、両タオルバーユニットＵ、Ｕを壁Ｗに取り付けさせている。
【００３２】
図示の例では、両タオルバーユニットＵ、Ｕのベース１において、上方に支持されるタオルバー２は下方に支持されるタオルバー２よりも壁Ｗ側に位置されるようになっている。また、タオルバー２を構成する棒状主体２２はその一端部２２ａを軸部１ｂによって直接ベース１の表面１ｅに回動可能に組み付けられている。ベース１の表面１ｅ側は図７に示されるように階段状に構成されており、上段面１ｇで上方に位置されるタオルバー２を支持して基準位置に位置づけ、下段面１ｈで下方に位置されるタオルバー２を支持して基準位置に位置づけるようにしている。
【００３３】
この図６および図７に示される例にあっては、二枚のタオルＴ、Ｔをそれを掛ける作業を容易に行えるようにした態様で、合理的に掛けることができるようになっている。具体的には、壁Ｗに近い側のタオルバー２にタオルＴを掛けるときは、壁Ｗから遠い側のタオルバー２にタオルＴが掛けられているときはこのタオルＴを右側又は左側によせることにより、壁Ｗに近い側に位置される対をなすタオルバー２、２の自由端２１間に形成させた間隔を利用してこの対をなすタオルバー２、２に前記のようにタオルＴを掛けることができる。
【図面の簡単な説明】
【００３４】
【図１】タオル掛け構造Ｈの正面構成図
【図２】タオル掛け構造Ｈの正面構成図（タオルＴを掛ける過程を示した図）
【図３】同要部斜視構成図
【図４】第二例の要部平面構成図
【図５】同要部分離斜視構成図
【図６】第三例の正面構成図
【図７】図６におけるＡ−Ａ線断面図
【符号の説明】
【００３５】
Ｗ  壁
Ｕ  タオルバーユニット
１  ベース
１ａ  取付部
１ｂ  軸部
２  タオルバー
２０  基端
２１  自由端
【図１】
2010005066.tif 000003
【図２】
2010005066.tif 000004
【図３】
2010005066.tif 000005
【図４】
2010005066.tif 000006
【図５】
2010005066.tif 000007
【図６】
2010005066.tif 000008
【図７】
2010005066.tif 000009